(57)【要約】  本発明に係る無線通信方法は、ユーザ装置（ＵＥ）で、第１の信号の送信に使用される第１のリソースの所定のリソースを示す第１の情報と、前記所定のリソースに適用される干渉アラインメントを示す第２の情報と、を第１の基地局から受信し、ＵＥで、前記第１の情報及び前記第２の情報を用いて前記第１の信号を前記第１の基地局から受信し、第２のリソースを用いて送信される第２の信号を受信する。前記所定のリソースは、前記ＵＥにおいて前記第２のリソースとの干渉を引き起こし、前記所定のリソースの干渉レベルが揃えられる。前記所定のリソースの送信電力が同一である。前記所定のリソースは、同一のプリコーダでプリコードされる。
2019521557.tif 000002
【特許請求の範囲】
【請求項１】
ユーザ装置（ＵＥ）で、第１の信号の送信に使用される第１のリソースの所定のリソースを示す第１の情報と、前記所定のリソースに適用される干渉アラインメントを示す第２の情報とを第１の基地局から受信し、
ＵＥで、前記第１の情報及び前記第２の情報を用いて前記第１の信号を前記第１の基地局から受信し、第２のリソースを用いて送信される第２の信号を受信し、
前記所定のリソースは、前記ＵＥにおいて前記第２のリソースとの干渉を引き起こし、前記所定のリソースの干渉レベルが揃えられることを特徴とする無線通信方法。
【請求項２】
前記所定のリソースの送信電力が同一であることを特徴とする請求項１記載の無線通信方法。
【請求項３】
前記所定のリソースの送信電力は、前記第１のリソースの前記所定のリソース以外のリソースの送信電力と異なることを特徴とする請求項２記載の無線通信方法。
【請求項４】
前記第２の情報が前記送信電力の値を示すことを特徴とする請求項２記載の無線通信方法。
【請求項５】
前記所定のリソースがミュート（ｍｕｔｅ）されることを特徴とする請求項１記載の無線通信方法。
【請求項６】
前記所定のリソースの送信電力が、前記第１のリソースの前記所定のリソース以外のリソースの送信電力よりも低いことを特徴とする請求項１記載の無線通信方法。
【請求項７】
前記所定のリソースは、同一のプリコーダでプリコードされることを特徴とする請求項１記載の無線通信方法。
【請求項８】
前記同一のプリコーダは、前記第１のリソースの前記所定のリソース以外のリソースに適用されるプリコーダとは異なることを特徴とする請求項７記載の無線通信方法。
【請求項９】
前記第２の情報が同一のプリコーダを示すことを特徴とする請求項７記載の無線通信方法。
【請求項１０】
前記所定のリソースに対するプリコーディングが無効にされることを特徴とする請求項１記載の無線通信方法。
【請求項１１】
前記所定のリソースに符号分割多重（ＣＤＭ）を適用することを特徴とする請求項１記載の無線通信方法。
【請求項１２】
前記第２の情報は、前記所定のリソースに適用されるＣＤＭを示すことを特徴とする請求項１１記載の無線通信方法。
【請求項１３】
記第２の情報は、前記所定のリソースは、スクランブルされていることを特徴とする請求項１記載の無線通信方法。
【請求項１４】
前記第２の情報は、前記所定のリソースがスクランブルされていることを示すことを特徴とする請求項１１記載の無線通信方法。
【請求項１５】
前記ＵＥが、前記所定のリソースを復号するための復調基準信号（ＤＭ−ＲＳ）を、前記第１のＢＳから受信することを特徴とする請求項１記載の無線通信方法。
【請求項１６】
第２のＢＳから前記ＵＥに、前記第２のリソースを用いて前記第２の信号を送信することを特徴とする請求項１記載の無線通信方法。
【請求項１７】
前記所定のリソースの送信電力は時間領域又は周波数領域において同一であることを特徴とする請求項２記載の無線通信方法。
【請求項１８】
前記同一のプリコーダが、前記所定のリソースに時間領域又は周波数領域において適用されることを特徴とする請求項７記載の無線通信方法。
【請求項１９】
第１の基地局から第１の信号の送信に使用される第１のリソースの所定のリソースを示す第１の情報と、前記所定のリソースに適用される干渉アラインメントを示す第２の情報とを受信し、前記第１の情報及び前記第２の情報を用いて前記第１の信号を受信し、第２のリソースを用いて送信される第２の信号を受信する受信部を具備し、
前記所定のリソースは、ユーザ装置（ＵＥ）において前記第２のリソースとの干渉を引き起こし、前記所定のリソースの干渉レベルが揃えられることを特徴とするユーザ装置（ＵＥ）。
【請求項２０】
第１のリソースの所定のリソースの干渉レベルを揃えるプロセッサと、
前記所定のリソースを示す第１の情報と、前記所定のリソースの干渉レベルが揃えられていることを示す第２の情報とを送信する送信部と、を具備し、
前記送信部は、前記第１のリソースを用いて第１の信号をユーザ装置（ＵＥ）へ送信し、
前記所定のリソースが、前記ＵＥにおいて、第２の信号の送信に用いる第２のリソースと干渉を引き起こすことを特徴とする基地局（ＢＳ）。
【発明の詳細な説明】
【技術分野】
【０００１】
本発明は、無線通信に関し、より具体的には、無線通信システムにおけるビーム選択のための干渉アラインメント方式に関する。
【背景技術】
【０００２】
第３世代パートナーシッププロジェクト（３ＧＰＰ）で標準化されたロングタームエボリューション（ＬＴＥ）リリース１３（Ｒｅｌ．１３ＬＴＥ）において、ビーム選択に基づくチャネル状態情報（ＣＳＩ）フィードバック方式が導入された。Ｒｅｌ．１３ＬＴＥにおけるＣＳＩフィードバック方式によれば、基地局（ＢＳ）は、異なるプリコーダでプリコーディングされ、ビームフォーミングされた（ＢＦ）ＣＳＩ参照信号（ＣＳＩ−ＲＳ）を複数送信する。そして、ユーザ装置（ＵＥ）は、複数のＢＦ  ＣＳＩ−ＲＳの中から所望のビーム（ＣＳＩ−ＲＳ）のインデックスを含むフィードバック情報をＣＳＩ−ＲＳリソースインジケータ（ＣＲＩ）として送信する。ＣＲＩはビームインデックス（ＢＩ）とも呼ばれる。上記のＲｅｌ．１３ＬＴＥでは、ＵＥは受信したＣＳＩ−ＲＳを用いてチャネル推定を行うものとする。その結果、ＵＥは、サービング（所望の）セルからの信号（所望信号（又は自身の信号））を干渉セルからの信号（干渉信号）から効率的に区別することができる。
【０００３】
一方、Ｒｅｌ．１４ＬＴＥ及びＮｅｗ  Ｒａｄｉｏ（ＮＲ；第５世代（５Ｇ）無線アクセス技術）におけるＭＩＭＯ（Ｍｕｌｔｉｐｌｅ  Ｉｎｐｕｔ  Ｍｕｌｔｉｐｌｅ  Ｏｕｔｐｕｔ）動作のためには、大規模アレイのビーム候補の数を増やすために、ビーム選択技術を単純化する必要がある。有望な技術の１つは、受信信号又はチャネル（例えば、ＣＳＩ−ＲＳ）のチャネル推定を必要としない、受信（Ｒｘ）電力に基づくビーム選択である。Ｒｘ電力に基づくビーム選択では、ＵＥは、複数の下りリンク信号／チャネル（例えばＢＦ  ＣＳＩ−ＲＳ）のＲｘ電力を比較し、Ｒｘ電力に基づいて単純にビームを選択する。例えば最も強いＲｘ電力又は最も弱いＲｘ電力のものを選択する。しかしながら、Ｒｘ電力に基づくビーム選択では、ＵＥはチャネル推定を実行せず、その結果、ＵＥは、干渉信号から所望信号を区別することができない。すなわちビーム選択が干渉信号のＲｘ電力の影響を受ける可能性がある。
【０００４】
Ｒｘ電力に基づくビーム選択の例示的な動作が、図１Ａ及び図１Ｂを参照して以下に説明される。簡単な例として、図１Ａ及び１Ｂにおいて、ＢＳ＃ＡからのＢＦ  ＣＳＩ−ＲＳ  Ａ３がＵＥのサービングＢＳからの所望信号であり、ＢＳ＃ＢからのＢＳＩ  ＣＳＩ−ＲＳ  Ｂ１がＵＥにとって干渉ＢＳからの干渉信号である。Ｒｘ電力に基づくビーム選択では、図１Ｂに示すように、４つのＢＳ  ＣＳＩ−ＲＳ  Ａ１〜Ａ４が多重化された４つのリソースエレメント（ＲＥ）のＲｘ電力を計算し、計算されたＲｘ電力の中から最大のＲｘ電力を有するＢＦ  ＣＳＩ−ＲＳを選択する必要がある。図中の複数のＣＳＩ−ＲＳリソースは、単一のＣＳＩ−ＲＳリソース、異なるＣＳＩ−ＲＳリソースなどに対して異なるアンテナポート（ＡＰ）とすることができる。
【先行技術文献】
【非特許文献】
【０００５】
【非特許文献１】３ＧＰＰ  ＴＳ３６．２１１  Ｖ１３．１．０
【非特許文献１】３ＧＰＰ  ＴＳ３６．２１３  Ｖ１３．１．１
【発明の概要】
【発明が解決しようとする課題】
【０００６】
しかしながら、Ｒｘ電力に基づくビーム選択におけるＲｘ電力計算では、ＵＥは、所望の信号のＲｘ電力、干渉信号のＲｘ電力及び熱雑音に起因するノイズを含むすべての電力を計算する。すなわち、ＵＥは、干渉信号のＲｘ電力及びノイズを含むすべての電力に基づいてビームを選択することになり得る。図１Ａ及び図１Ｂに戻って、例えば、ＢＦ  ＣＳＩ−ＲＳ  Ｂ１がＵＥにおいて強い干渉信号である場合、ＵＥは、ＢＦ  ＣＳＩ−ＲＳ  Ａ３ではなく、ＢＦ  ＣＳＩ−ＲＳ  Ａ１を所望の信号として誤って選択する可能性がある。さらに、ＣＳＩ−ＲＳのＲＥが、サービング（所望の）セルからの信号及び干渉セルからの信号の間で異なるプリコーダでプリコードされる場合、プリコーダは受信信号の受信品質に影響を及ぼすため、ＵＥがビーム選択を適切に実行できない。
【課題を解決するための手段】
【０００７】
本発明の１つ以上の実施形態において、無線通信方法は、ユーザ装置（ＵＥ）で、第１の信号の送信に用いられる第１のリソースの所定のリソースを示す第１の情報及び前記所定のリソースに適用される干渉アラインメントを示す第２の情報を、第１の基地局から受信する工程と、前記ＵＥで、前記第１の情報及び第２の情報を用いて前記第１の基地局から前記第１の信号を受信すると共に、第２のリソースを用いて送信された第２の信号を受信する工程と、を含む。前記所定のリソースは、ＵＥにおいて前記第２のリソースとの干渉を引き起こす可能性がある。前記所定のリソースの干渉レベルを揃えることができる。
【０００８】
本発明の１つ以上の実施形態において、ユーザ装置（ＵＥ）は、基地局（ＢＳ）から、第１の信号の送信に用いられる第１のリソースの所定のリソースを示す第１の情報、前記所定のリソースに適用される干渉アラインメントを示す第２の情報、前記第１の情報及び第２の情報を用いる前記第１の信号、及び第２のリソースを用いて送信される第２の信号を受信する受信部を含む。所定のリソースは、ＵＥにおいて第２のリソースとの干渉を引き起こす可能性がある。所定のリソースの干渉レベルを揃えることができる。
【０００９】
本発明の１つ以上の実施形態において、基地局（ＢＳ）は、第１のリソースの所定のリソースの干渉レベルを揃えるプロセッサと、所定のリソースを示す第１の情報及び所定のリソースの干渉レベルが揃っていることを示す第２の情報を送信する送信部と、を含む。送信部は、第１のリソースを使用して第１の信号をユーザ装置（ＵＥ）に送信してもよい。所定のリソースは、ＵＥにおいて、第２の信号の送信に使用される第２のリソースとの干渉を引き起こす可能性がある。
【発明の効果】
【００１０】
本発明の１つ以上の実施形態において、ＵＥが干渉信号を受信しても、適切なビーム選択を実行することができる。
【図面の簡単な説明】
【００１１】
【図１Ａ】サービングセル及び干渉セルにおけるＣＳＩ−ＲＳ送信の一例を示す図である。
【図１Ｂ】ＣＳＩ−ＲＳが多重されているリソースの構成の一例を示す図である。
【図２Ａ】無線通信システムの構成と、本発明の１つ以上の実施形態に係るセル間干渉を引き起こす干渉リソースに干渉アラインメントを適用する場合の一例を示す図である。
【図２Ｂ】本発明の１つ以上の実施形態による、セル内干渉を引き起こす干渉リソースに干渉アラインメントを適用する場合の一例を示す図である。
【図３Ａ】本発明の１つ以上の実施形態によるＵＥの手順を示すフローチャートである。
【図３Ｂ】本発明の１つ以上の実施形態による干渉リソース及び干渉リソースに適用される干渉アラインメントの一例を示す図である。
【図４】本発明の第１の実施例の１つ以上の実施形態におけるビーム選択の動作例を示すシーケンス図である。
【図５】本発明の第２の実施例の１つ以上の実施形態におけるビーム選択の動作例を示すシーケンス図である。
【図６】本発明の第３の実施例の１つ以上の実施形態におけるビーム選択の動作例を示すシーケンス図である。
【図７】本発明の第４の実施例の１つ以上の実施形態におけるビーム選択の動作例を示すシーケンス図である。
【図８】本発明の第５の実施例の１つ以上の実施形態におけるビーム選択の動作例を示すシーケンス図である。
【図９Ａ】従来の方法によるサービング（所望）セル及び干渉セルのリソースエレメント構成を示す図である。
【図９Ｂ】本発明の第６の実施例の１つ以上の実施形態におけるサービング（所望）セル及び干渉セルのリソースエレメント構成を示す図である。
【図１０Ａ】従来の方法によるサービング（所望）セル及び干渉セルのリソースエレメント構成を示す図である。
【図１０Ｂ】本発明の第７の実施例の１つ以上の実施形態におけるサービング（所望）セル及び干渉セルのリソースエレメント構成を示す図である。
【図１１】本発明の他の実施例の１つ以上の実施形態におけるビーム選択の動作例を示すシーケンス図である。
【図１２Ａ】本発明の第１〜第７の実施例の他の例の１つ以上の実施形態における所定の干渉アラインメントが適用されるリソース要素を示す図である。
【図１２Ｂ】本発明の第１〜第７の実施例の他の例の１つ以上の実施形態における所定の干渉アラインメントが適用されるリソース要素を示す図である。
【図１２Ｃ】本発明の第１〜第７の実施例の他の例の１つ以上の実施形態における所定の干渉アラインメントが適用されるリソース要素を示す図である。
【図１２Ｄ】本発明の第１〜第７の実施例の他の例の１つ以上の実施形態における所定の干渉アラインメントが適用されるリソース要素を示す図である。
【図１３】本発明の第１の変形例の１つ以上の実施形態による同一のプリコーダでプリコーディングされた異なる時間リソースと周波数リソースに多重されたＲＳを示す図である。
【図１４】本発明の第２の変形例の１つ以上の実施形態による同一のプリコーダでプリコーディングされた異なる時間リソースと周波数リソースに多重されたＲＳを示す図である。
【図１５】本発明の１つ以上の実施形態に係る基地局の概略構成を示すブロック図である。
【図１６】本発明の１つ以上の実施形態に係るユーザ装置の概略構成を示すブロック図である。
【発明を実施するための形態】
【００１２】
以下、本発明の実施の形態について、図面を参照して詳細に説明する。本発明の実施形態では、本発明のより完全な理解を提供するために、多くの具体的な詳細が記載されている。しかしながら、当業者には、これらの特定の詳細なしに本発明を実施することができることは明らかであろう。他の例では、本発明を不明瞭にすることを避けるために、周知の特徴を詳細には説明していない。
【００１３】
図２Ａは、本発明の１つ以上の実施形態による無線通信システム１を示す。無線通信システム１は、ユーザ装置（ＵＥ）１０と、基地局（ＢＳ）２０（２０Ａ、２０Ｂ）と、コアネットワーク３０とを備える。無線通信システム１は、Ｎｅｗ  Ｒａｄｉｏ（ＮＲ）システム、ＬＴＥ／ＬＴＥ  Ａｄｖａｎｃｅｄ（ＬＴＥ−Ａ）システム、又は他のシステムであってもよい。無線通信システム１は、本明細書で説明する特定の構成に限定されず、任意のタイプの無線通信システムであってもよい。ＢＳ２０Ｂ、２０Ａは、それぞれ、第１の基地局及び第２の基地局の一例である。
【００１４】
ＢＳ２０は、ＭＩＭＯ技術を使用する複数のアンテナポートを介して、セル２１内のＵＥ１０と、上りリンク（ＵＬ）信号及び下りリンク（ＤＬ）信号を通信する。ＤＬ信号及びＵＬ信号は、制御情報及びユーザデータを含み得る。ＢＳ２０は、バックホールリンク３１を介して、コアネットワーク３０とＤＬ信号及びＵＬ信号を通信する。ＢＳ２０は、ｇＮｏｄｅＢ（ｇＮＢ）又はＥｖｏｌｖｅｄ  ＮｏｄｅＢ（ｅＮＢ）であってもよい。ＢＳ２０は、１組のチャネル状態情報参照信号（ＣＳＩ−ＲＳ））を送信することができる。例えば、ＢＳ２０Ａは、ＣＳＩ−ＲＳ  Ａ１〜Ａ４を送信し、ＢＳ２０Ｂは、ＣＳＩ−ＲＳ  Ｂ１〜Ｂ４を送信してもよい。例えば、ＣＳＩ−ＲＳは、ビームフォーミングされてもされなくてもよい。
【００１５】
ＢＳ２０は、１つ以上のアンテナ、隣接するＢＳ２０と通信するための通信インターフェース（例えば、Ｘ２インターフェース）、コアネットワーク３０と通信するための通信インターフェース（例えば、Ｓ１インターフェース）、及び、ＵＥ１０との送受信信号を処理するためのプロセッサ又は回路などＣＰＵ（Ｃｅｎｔｒａｌ  Ｐｒｏｃｅｓｓｉｎｇ  Ｕｎｉｔ）を具備する。ＢＳ２０の動作は、メモリに記憶されたデータ及びプログラムを処理又は実行するプロセッサによって実施されてもよい。しかしながら、ＢＳ２０は、上述したハードウェア構成に限定されず、当業者が理解する他の適切なハードウェア構成によって実現されてもよい。無線通信システム１のより広いサービスエリアをカバーするように、多数のＢＳ２０を配置してもよい。
【００１６】
ＵＥ１０は、制御情報及びユーザデータを含むＤＬ信号及びＵＬ信号を、ＭＩＭＯ技術を使用してＢＳ２０と通信することができる。ＵＥ１０は、移動局、スマートフォン、携帯電話、タブレット、モバイルルータ、又はウェアラブル機器などの無線通信機能を有する情報処理装置であってもよい。無線通信システム１は、１つ以上のＵＥ１０を含んでもよい。ＵＥ１０は、ＢＳ２０から少なくとも複数のＣＳＩ−ＲＳを受信することができる。
【００１７】
ＵＥ１０は、プロセッサなどのＣＰＵ、ＲＡＭ（ランダムアクセスメモリ）、フラッシュメモリ、並びに、ＢＳ２０及びＵＥ１０との間で無線信号の送受信を行う無線通信装置を具備する。例えば、以下に説明するＵＥ１０の動作は、メモリに格納されたデータ及びプログラムを処理又は実行するＣＰＵによって実施することができる。ただし、ＵＥ１０は、上述したハードウェア構成に限定されるものではなく、例えば、以下の処理を実現する回路によって構成されてもよい。
【００１８】
図２Ａに示すように、本発明の１つ以上実施形態は、セル間干渉を引き起こす干渉リソースに適用することができる。例えば、ＢＳ２０Ａ（セル２１Ａ）はＵＥ１０のサービングＢＳ（サービング（所望の）セル）であり、ＢＳ２０Ｂ（２１Ｂ）はＵＥ１０の干渉ＢＳ（干渉セル）とする。また、サービングＢＳ２０Ａ（セル２１Ａ）からの信号は、ＵＥ１０にとって所望の信号であり、干渉ＢＳ２０Ｂ（セル２１Ｂ）からの信号は、ＵＥ１０にとって干渉信号とする。図２Ａに示すように、例えば、ＣＳＩ−ＲＳ  Ａ１〜Ａ４がＵＥ１０の所望信号である場合、ＣＳＩ−ＲＳ  Ｂ１及びＢ２の送信に使用されるリソースは、ＣＳＩ−ＲＳ  Ａ１及びＡ２の送信に使用されるリソースを妨害する干渉リソースである。
【００１９】
一方、図２Ｂに示すように、本発明の１つ以上の実施形態は、同じセル内の他のリソースとのセル内干渉を引き起こす干渉リソースに適用することができる。例えば、図２Ｂに示すように、ＣＳＩ−ＲＳ  Ａ１〜Ａ４がＵＥ１０Ａへの所望信号である場合、ＵＥ１０Ｂに送信されるＣＳＩ−ＲＳ  Ｂ１及びＢ２に使用されるリソースは、ＵＥ１０Ａに送信されるＣＳＩ−ＲＳ  Ａ１及びＡ２に使用されるリソースとの間に干渉を引き起こす干渉リソースである。
【００２０】
図３は、本発明の１つ以上の実施形態によるＵＥの手順のフローチャートを示す図である。図３Ａの例において、干渉アラインメント（ＩＡ）は、第１の信号／チャネル送信に使用されるリソースに含まれる干渉リソースに適用される。ＢＳ２０は、干渉リソースのＩＡを実行することができる。本発明の１つ以上の実施形態において、ＩＡは、異なるリソース内の干渉信号の受信品質（信号強度）が同じレベルになるように干渉レベルを揃える方法であってもよい。例えば、第１の信号／チャネル送信に使用される干渉リソースが、第２の信号／チャネル送信に使用されるリソースとの干渉を引き起こしてもよい。本発明の１つ以上の実施形態では、第１の信号／チャネル及び第２の信号／チャネルは、同じＢＳ２０又は異なるＢＳ２０（ＢＳ２０Ａ及びＢＳ２０Ｂ）から送信されてもよい。
【００２１】
図３Ａに示すように、ステップＳ１においてＵＥ１０は、干渉アラインメント（ＩＡ）情報（例えば、送信電力、プリコーダ、符号分割多重（ＣＤＭ）、及びリソースに適用するスクランブリング）と、干渉するリソースに関するリソース情報と、をＢＳ２０から受信する。ＩＡ情報は、プリコーディング情報及び／又は送信電力情報であってもよい。例えば、プリコーディング情報は、ＩＡとして干渉リソースに適用されるプリコーダ（プリコーディングベクトル）を示してもよい。例えば、送信電力情報は、干渉リソース（信号／チャネル）に使用される送信電力値を示してもよい。例えば、送信電力は、特定のデフォルト値に対する相対値として通知してもよい。例えば、リソース情報は、ＩＡが適用される干渉リソースを示してもよい。たとえば、この情報は暗黙的に通知されてもよい。
【００２２】
ステップＳ２において、ＵＥ１０は、受信したＩＡ情報及びリソース情報を用いて、ＵＥ推定を実行する。例えば、ＵＥ１０は、第１の信号／チャネルにおける干渉リソースに適用されるプリコーダを推定してもよい。例えば、ＵＥ１０は、第１の信号／チャネルにおける干渉リソースの送信電力を推定してもよい。例えば、ＵＥは、ＩＡが適用される干渉リソースの場所を推定してもよい。例えば、このリソース情報は、スロット（又はサブフレーム）周期及び時間領域オフセット内の時間／周波数リソースを含んでもよい。例えば、このリソース情報は、リソースブロック（ＲＢ）情報を含んでもよい。
【００２３】
ステップＳ３において、ＵＥ１０は、ＢＳ２０から、ＵＥ推定に基づいて第１の信号／チャネルを受信し、第２の信号／チャネルを受信する。
【００２４】
ステップＳ４において、ＵＥ１０は、受信した第１の信号／チャネルに基づいてビーム選択を実行する。
【００２５】
このように、本発明の１以上の実施形態によれば、ＵＥ１０が干渉信号を受信した場合であっても、ＣＳＩ−ＲＳのリソースにＩＡを適用することによりＣＳＩ−ＲＳリソースが同一レベルの干渉を受けるため、適切なビーム選択を行うことができる。
【００２６】
本発明の１以上の実施形態において、第１の信号／チャネル（干渉信号）及び第２の信号／チャネル（所望の信号）は、ＣＳＩ−ＲＳ、ゼロ電力（ＺＰ）ＣＳＩ−ＲＳ、サウンディングＲＳ（ＳＲＳ）、復調基準信号（ＤＭ−ＲＳ）、物理下りリンク共有チャネル（ＰＤＳＣＨ）、物理上りリンク共有チャネル（ＰＵＳＣＨ）であってもよい。
【００２７】
本発明の1つ以上の実施形態において、干渉リソース及びその干渉リソースに適用されるＩＡの例を、図３Ｂを参照して以下で説明する。図３Ｂにおいて、各リソースは１つのリソース要素（ＲＥ）である。図３Ｂの例において、ＣＳＩ−ＲＳ  Ｂ１及びＢ２の送信に使用されるリソースは、干渉リソース（干渉リソースＢ１及びＢ２）であり得る。例えば、干渉リソースＢ１及びＢ２は、それぞれ、ＣＳＩ−ＲＳ  Ａ１及びＡ２（リソースＡ１及びＡ２）の送信に使用されるリソースとの干渉を引き起こす可能性がある。本発明の１つ以上の実施形態において、リソース（例えば、干渉リソースＢ１（Ｂ２））が、他のリソース（例えば、リソースＡ１（Ａ２））と干渉する場合、干渉リソースＢ１（Ｂ２）はリソースＡ１（Ａ２）と周波数リソース及び時間リソースにおいて衝突している。
【００２８】
図３Ｂに示すように、ＢＳ２０において、干渉リソースＢ１及びＢ２にＩＡが適用される。例えば、同一のプリコーダを干渉リソースＢ１及びＢ２に適用してもよい。例えば、ＢＳ２０において、干渉リソースＢ１及びＢ２の送信電力を同一にてもよい。以下、ＩＡの第１〜第７の実施例について詳細に説明する。
【００２９】
本発明の第１〜第７の実施例の１つ以上の実施形態において、本開示は、セル間干渉に適用されるＩＡの例を説明するが、本発明の１つ以上の実施形態はセル内干渉に適用されるＩＡにも適用できる。
【００３０】
本発明の１つ以上の実施形態において、干渉リソースとは、ビーム選択に使用されるリソースのすべて又は一部と干渉を引き起こすリソースである。
【００３１】
（第１の実施例）
本発明の第１の実施例の１つ以上の実施形態においては、干渉リソース（ＲＥ）は、同一のプリコーダでプリコードされる。例えば、ＣＳＩ−ＲＳの送信に使用されるリソースの少なくとも２つは、同一のプリコーダでプリコードされてもよい。
【００３２】
図４は、本発明の第１の実施例の１つ以上の実施形態におけるビーム選択の動作例を示すシーケンス図である。例えば、ＢＳ２０ＡはＵＥ１０のサービングＢＳであり、ＢＳ２０ＢはＵＥ１０の干渉ＢＳとする。図４に示すように、ＢＳ２０Ｂは、ＣＳＩ−ＲＳを多重するリソースの複数の干渉リソースに同じプリコーダを適用する（ステップＳ１０１）。したがって、ＣＳＩ−ＲＳを多重する複数の干渉リソースに使用されるプリコーダは同一である。また、例えば、ステップＳ１０１の前に、干渉リソースを示す情報が、Ｘ２インターフェースを介してＢＳ２０ＡとＢＳ２０Ｂとの間で交換されてもよいし、ＵＥ１０からＢＳ２０Ｂに送信されてもよい。
【００３３】
ＢＳ２０Ｂは、プリコーディング情報及びリソース情報をＵＥ１０に送信する（ステップＳ１０２）。プリコーディング情報は、干渉リソースに適用されるプリコーダ（プリコーディングベクトル）を示す。リソース情報は、同一のプリコーダでプリコーディングされた複数の干渉リソースの位置を示す。
【００３４】
ＢＳ２０Ａは、ビームを用いて複数のＣＳＩ−ＲＳ（所望信号）をリソースを用いてセル２１Ａに送信する（ステップＳ１０３Ａ）。ＢＳ２０Ｂは、同一プリコーダでプリコーディングされた干渉リソースを含むリソースを用いて複数のＣＳＩ−ＲＳをビームを用いてセル２１Ｂに送信する（ステップＳ１０３Ｂ）。
【００３５】
ＵＥ１０は、プリコーディング情報及びリソース情報を用いてＢＳ２０ＢからのＣＳＩ−ＲＳを受信し、ＢＳ２０ＡからのＣＳＩ−ＲＳを受信する（ステップＳ１０４）。ＢＳ２０Ｂからの複数のＣＳＩ−ＲＳ（干渉信号）の受信品質は、干渉リソースが同一のプリコーダでプリコードされているので、同じレベルである。ここで受信品質とは、基準信号受信電力（ＲＳＲＰ）、受信信号強度インジケータ（ＲＳＳＩ）、又はチャネル品質を反映する他の情報であってもよい。
【００３６】
そして、ＵＥ１０は受信したＣＳＩ−ＲＳに基づいてビーム選択を実施する（ステップＳ１０５）。例えば、ＵＥ１０は、ＢＳ２０ＡからのＣＳＩ−ＲＳの受信品質に基づいて（ＢＳ２０Ｂからの干渉信号の影響を受けずに）、受信したＣＳＩ−ＲＳからＣＳＩ−ＲＳリソースインジケータ（ＣＲＩ）を暗黙的に選択することができる。
【００３７】
ＵＥ１０は、選択されたＣＲＩをフィードバック情報としてＢＳ２０Ａに送信する（ステップＳ１０６）。ＵＥ１０は、プリコーディングタイプインジケータ（ＰＴＩ）、ランクインジケータ（ＲＩ）、プリコーディングマトリックスインジケータ（ＰＭＩ）、及びチャネル品質情報（ＣＱＩ）等の他のＣＳＩをフィードバックしてもよい。ＣＲＩは、物理上りリンク制御チャネル（ＰＵＣＣＨ）又は他の物理チャネルを介して送信されてもよい。
【００３８】
ＢＳ２０Ａは、ＣＲＩに基づいて決定されたビームを用いて，プリコーディングされたデータ信号を、物理下りリンク共有チャネル（ＰＤＳＣＨ）で送信してもよい（ステップＳ１０７）。
【００３９】
従って、本発明の１つ以上の実施形態によれば、ＵＥ１０はＢＳ２０から、ＣＳＩ−ＲＳ（第１の信号）の送信に用いられるリソース（第１のリソース）の干渉リソース（所定のリソース）の位置を示すリソース情報（第１の情報）と、同一のプリコーダ（所定のリソースに適用される干渉アラインメント）を示すプリコーディング情報（第２の情報）を受信する。ＵＥ１０は干渉リソースを含むＣＳＩ−ＲＳ（第１の信号）をリソース情報及びプリコーディング情報を用いて受信し、リソース（第２のリソース）を用いて送信された（所望の）ＣＳＩ−ＲＳ（第２の信号）を受信する。干渉リソースは、ＵＥ１０において、所望ＣＳＩ−ＲＳのリソース（第２のリソース）と干渉を引き起こす。干渉リソースの干渉レベルは揃えることができる。例えば、干渉リソースは、同一のプリコーダでプリコードされ得る。
【００４０】
本発明の第１の実施例の１つ以上の実施形態によれば、干渉信号の干渉レベル（電力などの信号強度）は、所望の信号の送信に使用されるリソースと干渉を引き起こす複数の干渉リソースに同一のプリコーダを適用することによって、干渉セルにおいて揃えられ得る。その結果、ＵＥ１０が干渉信号を受信しても、ビーム選択の誤りを低減することができる。
【００４１】
また、本発明の第１の実施例の１つ以上の実施形態では、例えば、干渉リソースに適用される同一のプリコーダは、所定のプリコーダであってもよい。
【００４２】
また、本発明の第１の実施例の１つ以上の実施形態では、例えば、ステップＳ１０２において、プリコーディング情報における同一のプリコーダは、ＰＭＩ又はＣＲＩとしてＵＥ１０に通知されてもよい。
【００４３】
また、本発明の第１の実施例の１つ以上の実施形態では、例えば、ＵＥ１０は、干渉リソースに適用される同一のプリコーダを示す情報をＢＳ２０に送信してもよい。同一のプリコーダは、ＰＭＩ又はＣＲＩとしてＢＳ２０に通知されてもよい。
【００４４】
（第２の実施例）
本発明の第２の実施例の１つ以上の実施形態においては、ビーム選択のために使用されるＲＥのプリコーディングは、干渉ＢＳ２０Ｂにおいては無効になっている。
【００４５】
図５は、本発明の第２の実施例の１つ以上の実施形態によるビーム選択の動作例を示すシーケンス図である。図５において、図４のステップと同様のステップは、同じ名称を付してある。
【００４６】
図５に示すように、ＢＳ２０Ｂは、複数のＣＳＩ−ＲＳ送信に用いる干渉リソースのプリコーディングを無効にする（ステップＳ２０１）。
【００４７】
ＢＳ２０Ｂは、プリコーディング情報及びリソース情報をＵＥ１０に送信する（ステップＳ２０２）。プリコーディング情報は、プリコーディングが無効であるか否かを示すものでもよい。リソース情報は、干渉するリソースの位置を示すものでもよい。
【００４８】
ＢＳ２０Ａは、リソースを用いて複数のＣＳＩ−ＲＳ（所望信号）を、ビームを用いてセル２１Ａに送信する（ステップＳ２０３Ａ）。ＢＳ２０Ｂは、プリコーディングが無効な干渉リソースを含むリソースを用いて、複数のＣＳＩ−ＲＳ（干渉信号）を、ビームを用いてセル２１Ｂに送信する（ステップＳ２０３Ｂ）。図５のステップＳ２０３Ｂより後のステップは、図４のステップと同じである。
【００４９】
本発明の第２の実施例の１つ以上の実施形態によれば、干渉信号の干渉レベル（信号電力などの信号強度）を干渉セル内で揃えることができる。その結果、ＵＥ１０が干渉信号を受信しても、ビーム選択の誤りを低減することができる。
【００５０】
（第３の実施例）
本発明の第３の実施例の１つ以上の実施形態によれば、干渉リソースは、干渉信号の相対レベルに影響を与えないほどゲインが小さいプリコーダでプリコードされる。例えば、干渉リソースは、ゲインが所定値未満のプリコーダでプリコードされてもよい。例えば、ワイドビームは、広帯域及び／又は長期間でフィードバックされるＰＭＩ（すなわちＰＭＩのインデックスのサブセット）に基づいて導出される。
【００５１】
図６は、本発明の第３の実施例の１つ以上の実施形態によるビーム選択の動作例を示すシーケンス図である。図６において、図４のステップと同様のステップは、同じ名称を付してある。
【００５２】
図６に示すように、ＢＳ２０Ｂは、干渉リソースに対して、所定値未満のゲインを有するプリコーダを適用する（ステップＳ３０１）。
【００５３】
ＢＳ２０Ｂは、プリコーディング情報及びリソース情報をＵＥ１０に送信する（ステップＳ３０２）。プリコーディング情報は、干渉するリソースに適用されるプリコーダ（プリコーディングベクトル）を示してもよい。リソース情報は、干渉するリソースの位置を示してもよい。
【００５４】
ＢＳ２０Ａは、リソースを用いて複数のＣＳＩ−ＲＳ（所望信号）を、ビームを用いてセル２１Ａに送信する（ステップＳ３０３Ａ）。ＢＳ２０Ｂは、ゲインが所定値未満のプリコーダでプリコーディングされた干渉リソースを含むリソースを用いて、複数のＣＳＩ−ＲＳ（干渉信号）を、ビームを用いてセル２１Ｂに送信する（ステップＳ３０３Ｂ）。例えば、所定値は、ＵＥ１０に影響を与えない推測信号のゲインであってもよい。図６のステップＳ３０３Ｂより後のステップは、図４のステップと同じである。
【００５５】
本発明の第３の実施例の１つ以上の実施形態によれば、干渉信号の電力の変動を低減することができる。その結果、ＵＥ１０が干渉信号を受信しても、ビーム選択の誤りを低減することができる。
【００５６】
（第４の実施例）
本発明の第４の実施例の１つ以上の実施形態によれば、ＣＳＩ−ＲＳ送信に使用される干渉リソースの送信電力は同一にされる。例えば、干渉するリソースはミュート（ｍｕｔｅ）されてもよい。
【００５７】
図７は、本発明の第４の実施例の１つ以上の実施形態によるビーム選択の動作例を示すシーケンス図である。図７において、図４のステップと同様のステップは、同じ名称を付してある。
【００５８】
図７に示すように、ＢＳ２０Ｂは、干渉リソースの送信電力を同一にする。例えば、干渉リソースをミュートする（ステップＳ４０１）。
【００５９】
ＢＳ２０Ｂは、送信電力情報（第２の情報）及びリソース情報（第１の情報）をＵＥ１０に送信する（ステップＳ４０２）。送信電力情報は、干渉リソースに適用される送信電力値を示してもよい。例えば、送信電力情報は、干渉信号がミュートされていることを示してもよい。リソース情報は、干渉リソースの位置を示してもよい。
【００６０】
ＢＳ２０Ａは、複数のビームを用いて、複数のＣＳＩ−ＲＳ（所望信号）を複数のリソースでセル２１Ａに送信する（ステップＳ４０３Ａ）。ＢＳ２０Ｂは、複数のビームを用いて、ＣＳＩ−ＲＳを、ミュートされた干渉リソースを含む複数のリソースでセル２１Ｂに送信する（ステップＳ４０３Ｂ）。
【００６１】
ＵＥ１０は、ＢＳ２０Ｂからの送信情報及びリソース情報とＢＳ２０ＡからのＣＳＩ−ＲＳを用いて、ＣＳＩ−ＲＳを受信する（ステップＳ４０４）。
【００６２】
図７のステップＳ４０４より後のステップは、図４のステップと同様である。
【００６３】
本発明の第３の実施例の１つ以上の実施形態によれば、干渉の影響を低減することができる。その結果、ＵＥ１０が干渉信号を受信しても、ビーム選択の誤りを低減することができる。
【００６４】
（第５の実施例）
本発明の第５の実施例の１つ以上の実施形態によれば、干渉リソースの送信電力は、ＣＳＩ−ＲＳ送信に使用される他のリソースの送信電力によって変更される。例えば、干渉リソースの送信電力は、ＣＳＩ−ＲＳリソースを含むサブフレームにおける他のリソースの送信電力よりも低くしてもよい。
【００６５】
図８は、本発明の第５の実施例の１つ以上の実施形態によるビーム選択の動作例を示すシーケンス図である。図８において、図４のステップと同様のステップは、同じ名称を付してある。
【００６６】
図８に示すように、複数のＣＳＩ−ＲＳがＢＳ２０Ｂでプリコードされる（ステップＳ５０１）。次に干渉ＢＳ２０Ｂは、干渉リソースの送信電力が、ＣＳＩ−ＲＳリソースを含むサブフレームにおける他のリソースの送信電力よりも低くなるように、干渉リソースの送信電力を設定する。
【００６７】
ＢＳ２０Ｂは、送信電力情報及びリソース情報をＵＥ１０に送信する（ステップＳ５０２）。送信電力情報は、干渉リソースに適用される送信電力値を示してもよい。リソース情報は、干渉リソースの位置を示してもよい。
【００６８】
ＢＳ２０Ａは、複数のプリコードされたＣＳＩ−ＲＳを送信し、ＢＳ２０Ｂは、より低い送信電力で複数のＣＳＩ−ＲＳを送信する（ステップＳ５０３Ａ及びＳ５０３Ｂ）。
【００６９】
図８のステップＳ５０３Ｂの後のステップＳ４０４は図７のステップと同じである。図８のステップＳ４０４より後のステップは、図４のステップと同様である。
【００７０】
本発明の第５の実施例の１つ以上の実施形態によれば、干渉の影響を低減することができる。その結果、ＵＥ１０が干渉信号を受信しても、ビーム選択の誤りを低減することができる。
【００７１】
第５の実施例の他の例として、干渉リソースの送信電力は一定であってもよい。その結果、干渉リソースの送信電力を一定にすることで、干渉の影響を揃えることができる。
【００７２】
さらに、本発明の第５の実施例の１つ以上の実施形態において、例えば、ＢＳ２０は、ＣＳＩ−ＲＳが特定の送信電力で送信されていることを示す情報をＵＥ１０に通知してもよい。
【００７３】
また、本発明の第５の実施例の１つ以上の実施形態において、例えば、ＢＳ２０は、送信電力の絶対値及び他の信号／チャネルに対する相対値を示す送信電力情報をＵＥ１０に通知してもよい。
【００７４】
（第６の実施例）
本発明の第６の実施例の１つ以上の実施形態によれば、干渉セルにおいて、干渉リソースにＣＤＭが適用される。例えば、ＣＳＩ−ＲＳ送信に使用される異なるビームは、ＣＤＭが適用されることによって、拡散されて、複数のリソースに配置され得る。
【００７５】
図９Ａは、従来方法によるサービング（所望）セルと干渉セルのＲＥ（リソース）構成を示す図である。例えば、図９Ａに示すように、４つのＣＳＩ−ＲＳ（例えば、ＣＳＩ−ＲＳ＃１〜４）の各々は、サービングセル及び干渉セルの各ＲＥに多重される。
【００７６】
図９Ｂは、本発明の第６の実施例の１つ以上の実施形態によるサービング（所望）セル２１Ａと干渉セル２１ＢのＲＥ構成を示す図である。本発明の第６の実施例の１つ以上の実施形態では、ＢＳ２０Ｂからの４つのＣＳＩ−ＲＳ（例えば、ＣＳＩ−ＲＳ  Ｂ１−４）が干渉セル内の複数のＲＥに符号分割多重化される。図９Ｂの例において、干渉リソースは、ＣＳＩ−ＲＳ  Ｂ１−４（リソースＢ１〜Ｂ４）に使用されるリソースであってもよい。例えば、図９Ｂに示すように、リソースＢ１−Ｂ４は、干渉セル内の４つのＲＥ内に拡散されて配置されてもよい。
【００７７】
したがって、ＢＳ２０Ｂは、干渉リソースであるＣＳＩ−ＲＳリソースが４つのＲＥに拡散され配置されるように、ＣＳＩ−ＲＳ  Ｂ１−４を４つのＲＥにマッピングすることができる。そして、ＢＳ２０Ｂは、符号分割多重されたＣＳＩ−ＲＳを送信できる。
【００７８】
また、本発明の第６の実施例の１つ以上の実施形態において、例えば、ＢＳ２０は、干渉リソースに適用されるＣＤＭを示す情報をＵＥ１０に通知してもよい。
【００７９】
（第７の実施例）
本発明の第７の実施例の１つ以上の実施形態によれば、干渉リソースは、ＣＳＩ−ＲＳリソースセット内でスクランブルされる。
【００８０】
図１０Ａは、従来方法によるサービング（所望）セルと干渉セルのＲＥ構成を示す図である。図１０ＡのＲＥは図９ＡのＲＥを周波数多重したものである。例えば、ＣＳＩ−ＲＳ＃１−４のＣＳＩ−ＲＳリソースセットが４つ周波数多重されてもよい。ＣＳＩ−ＲＳ＃１−４のＣＳＩ−ＲＳリソースセットはそれぞれ、ＣＳＩ−ＲＳリソースの同じ配置を有する。
【００８１】
図１０Ｂは、本発明の第７の実施例の１つ以上の実施形態によるサービング（所望）セル２１Ａと干渉セル２１ＢのＲＥ構成を示す図である。図１０Ｂの例において、干渉リソースは、干渉セル２１Ｂ内のＣＳＩ−ＲＳ１−４（リソース１〜４）に使用されるリソースであってもよい。図１０Ｂに示すように、図１０Ａと同様に、ＣＳＩ−ＲＳ＃１−４のＣＳＩ−ＲＳリソースセットが４つ周波数多重されている。サービング（所望）セル内のＣＳＩ−ＲＳリソースセットはそれぞれ、ＣＳＩ−ＲＳリソースの配置が同じである。一方、干渉セル内の各ＣＳＩ−ＲＳリソースセットは、ＣＳＩ−ＲＳリソースのスクランブル配列を有する。すなわち、干渉セルでは、４つのＣＳＩ−ＲＳリソースセットそれぞれにおけるＣＳＩ−ＲＳ＃１−４のＣＳＩ−ＲＳリソースをスクランブルすることができる。
【００８２】
このように、ＣＳＩ−ＲＳＢ１−４のＣＳＩ−ＲＳリソースが周波数多重されている場合、ＢＳ２０Ｂは、ＣＳＩ−ＲＳリソースをスクランブルして、それぞれのＣＳＩ−ＲＳリソースセット内に配置されるように、ＣＳＩ−ＲＳＢ１−４をＲＥにマッピングしてもよい。そして、ＢＳ２０Ｂは、スクランブルされたＣＳＩ−ＲＳリソースを用いてＣＳＩ−ＲＳを送信できる。
【００８３】
また、本発明の第７の実施例の１つ以上の実施形態においては、例えば、ＢＳ２０は、スクランブル配列などの適用されたスクランブリングを示すスクランブリング情報をＵＥ１０に通知してもよい。
【００８４】
（その他の実施例）
適切なビーム選択のために、同一の送信電力及び／又はプリコーダが、ビーム選択のために使用されるＲＥに適用される必要がある。他の例として、同一の送信電力及び／又はプリコーダが適用されるＲＥの時間リソース（時間領域）が制限されてもよい。例えば、同一の送信電力及び／又はプリコーダを所定の時間リソース内のＲＥに適用してもよい。他の例として、同一の送信電力及び／又はプリコーダが適用されるＲＥの周波数リソース（周波数領域）が制限されてもよい。例えば、同一の送信電力及び／又はプリコーダを、所定の周波数リソース内のＲＥに適用してもよい。
【００８５】
例えば、本発明の第１〜第７の実施例の１つ以上の実施形態のように、ビーム選択に使用されるＲＥの送信電力及び／又はプリコーダが他のＲＥの送信電力及び／又はプリコーダと異なる場合、ビーム選択のために使用されるＲＥは、復号することができない可能性がある。本発明の他の実施例の１つ以上の実施形態によれば、ＢＳ２０Ｂは、ビーム選択のために使用されるＲＥの復号に使用される（特定の）ＤＭ−ＲＳを送信してもよい（ステップＳ１０３Ｃ）。さらに、ビーム選択のために使用されるＲＥの復号に使用されるＤＭ−ＲＳの送信は、本発明の第１〜第７の実施例の１つ以上の実施形態による動作に適用されてもよい。
【００８６】
第１〜第７の実施例の他の例として、干渉セルにおいて、第１〜第７の実施例のＩＡの方法が、干渉リソース又はビーム選択に使用されるリソースを含むリソースのみに適用されてもよい。図１２Ａ〜図１２Ｄは、本発明の第１〜第７の実施例の他の例の１つ以上の実施形態において、所定の干渉アラインメントが適用されるＲＥを示す図である。
【００８７】
図１２Ａでは、干渉リソースのみが所定のプリコーダでプリコードされている。例えば、干渉リソースに適用される所定のプリコーダは、第１の実施例の実施形態のように同一である。
【００８８】
図１２Ｂに示すように、干渉リソースを含むＣＳＩ−ＲＳリソースを含む所定の時間範囲及び周波数範囲のＲＥが、所定のプリコーダによってプリコードされてもよい。
【００８９】
図１２Ｃに示すように、例えば、ＣＳＩ−ＲＳリソースを含む所定の時間範囲又はシンボル（例えば、ＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）シンボル）のＲＥが、干渉ＢＳ２０Ｂにおいて所定のプリコーダによってプリコードされてもよい。また、例えば、ＣＳＩ−ＲＳリソースを含むサブフレーム全体を所定のプリコーダでプリコードしてもよい。さらに、例えば、ＣＳＩ−ＲＳリソースを含む複数のサブフレームのすべて又は一部を所定のプリコーダでプリコードしてもよい。
【００９０】
図１２Ｄに示すように、例えば、干渉ＢＳ２０Ｂにおいて、ＣＳＩ−ＲＳリソースを含む所定の周波数範囲（周波数領域（リソース））又はサブキャリアのＲＥが、所定のプリコーダでプリコードされてもよい。また、例えば、ＣＳＩ−ＲＳリソースを含むリソースブロック（ＲＢ）が、所定のプリコーダでプリコードされてもよい。さらに、例えば、少なくともＣＳＩ−ＲＳリソースを含むサブバンド、又はシステム帯域幅（又はコンポーネントキャリア）を、所定のプリコーダでプリコードしてもよい。また、図１２Ｃと図１２Ｄに示す上記実施例は、互いに組み合わせてもよい。
【００９１】
第１〜第７の実施例の他の例として、ＢＳ２０は、ＩＡが適用されるＲＥの時間領域における時間範囲（時間位置）及び／又は周波数領域における周波数範囲（周波数位置）を示す情報をＵＥ１０に送信してもよい。
【００９２】
例えば、ＲＥの時間範囲及び／又は周波数範囲を示す情報は、シンボル番号単位ごと又はサブフレーム単位ごとの情報として通知されてもよい。また、ＲＥの時間範囲及び／又は周波数範囲を示す情報は、シンボル番号単位ごとの情報とサブフレーム単位ごとの情報との組み合わせとして通知されてもよい。
【００９３】
例えば、ＲＥの時間範囲及び／又は周波数範囲を示す情報は、サブキャリア単位ごと、ＲＢ単位ごと、又はサブバンド単位ごとの情報として通知されてもよい。
【００９４】
例えば、ＲＥの時間範囲及び／又は周波数範囲を示す情報は、明示的に通知されてもよいし、又はグループ化及び／又は周期を使用した情報として通知されてもよい。
【００９５】
第１の実施例の他の例として、ＵＥ１０が、ＢＳ２０Ａ及びＢＳ２０ＢからＣＳＩ−ＲＳを（同時に）受信する場合、ＢＳ２０Ｂからの複数の（連続する）ＲＢ及び複数の（連続する）サブフレームに適用されるプリコーダは同一であると推定してもよい。
【００９６】
例えば、複数の（連続する）ＲＢに適用される同一のプリコーダを示すＲＢ情報は、ＢＳ２０Ｂから上位レイヤ（例えば、無線リソース制御（ＲＲＣ））シグナリング及び／又は下位レイヤシグナリングでＵＥ１０に送信されてもよい。例えば、ＲＢ情報は、同一のプリコーダが適用されるＲＢの数及び／又は同一のプリコーダが適用されるサブバンドの数を示す情報を含む。
【００９７】
例えば、複数の（連続する）サブフレームに適用される同一のプリコーダを示すサブフレーム情報は、上位レイヤシグナリング及び／又は下位レイヤシグナリングでＢＳ２０ＢからＵＥ１０に送信されてもよい。例えば、サブフレーム情報は、同一のプリコーダが適用されるサブフレームの数を示す情報を含む。例えば、サブフレーム情報は、適用されるプリコーダを切り替えるタイミングを示すサブフレーム番号のオフセット値を含む。
【００９８】
第１〜第７の実施例の他の例として、同一のプリコーダでプリコードされたＲＥなどのＩＡが適用されたＲＥを示す情報が、ＣＳＩ−ＲＳ構成やＣＳＩ−ＲＳサブフレーム構成などのＲＲＣパラメータと共に、送信されてもよい。
【００９９】
第１〜第７の実施例の他の例として、ＵＥ１０は、ＩＡを（第１〜第７の実施例の実施形態のように）干渉リソースに適用するようにトリガしてもよい。つまり、ＩＡは、ＵＥ１０からのトリガに従って起動してもよい。
【０１００】
第１〜第７の実施例の他の例として、（第１〜第７の実施例の実施形態のような）ＩＡのオン／オフ制御及び／又は詳細なＩＡを示すＩＡ関連情報の切り替えをＵＥ１０に通知してもよい。例えば、ＩＡのオン／オフ制御及び／又はＩＡ関連情報のスイッチングは、下り制御情報（ＤＣＩ）又は上位レイヤシグナリングと下位レイヤシグナリングの組み合わせとして通知されてもよい。
【０１０１】
（第１の変形例）
本発明の第１の変形例の１つ以上の実施形態において、異なる時間リソース及び周波数リソースで多重化された参照信号（ＲＳ）又は同期信号は、同一のプリコーダでプリコードされてもよい。同一のプリコーダでプリコードされた複数のＲＳは、位相及び振幅に関して、高精度のチャネル推定に使用されてもよい。ＲＳは、ＣＳＩ−ＲＳ、ＤＭ−ＲＳ、又はセル固有参照信号（ＣＲＳ）であってもよい。同期信号は、プライマリ同期信号（ＰＳＳ）又はセカンダリ同期信号（ＳＳＳ）であってもよい。ＲＳ信号及び同期信号は、新たに定義された信号であってもよい。
【０１０２】
図１３は、本発明の第１の変形例の１つ以上の実施形態による同一のプリコーダによってプリコードされた、異なる時間リソース及び周波数リソースに多重化されたＲＳを示す図である。図１３に示すように、異なる時間リソース及び周波数リソースで多重化された６つのＲＳは、同一のプリコーダθでプリコードされてもよい。例えば、同一のプリコーダでプリコードされた複数のＲＳ（６つのＲＳ）は、ＵＥ１０におけるＲＳの複数のサンプルの平均化及びＵＥ１０での線形補間に使用されてもよい。その結果ＵＥは、複数のＲＳ（６つのＲＳ）に基づいて、高精度のチャネル推定を実行することができる。さらに、ＵＥ１０は、異なる時間リソース及び周波数リソースで多重化された６つのＲＳが同一のプリコーダθでプリコードされているとするＵＥ推定に基づいて、ＲＳを受信することができる。
【０１０３】
（第２の変形例）
本発明の第２の変形例の１つ以上の実施形態では、異なる時間リソース及び周波数リソースで多重化されたＲＳ又は同期信号が、連続した異なる位相（及び／又は振幅）を有するプリコーダによって、プリコードされる。連続する位相は、時間領域及び／又は周波数領域において連続的であってもよい。
【０１０４】
図１４は、本発明の第２の変形例の１つ以上の実施形態による、同一のプリコーダによりプリコードされた、異なる時間リソース及び周波数リソースに多重化されたＲＳを示す図である。図１４に示すように、異なる時間リソース及び周波数リソースに多重化された６個のＲＳは、プリコーダθ、θ＋α、θ＋２α、θ＋β、θ＋α＋β、θ＋２α＋βのように連続した異なる位相を有するプリコーダによりプリコードされている。例えば、連続した異なる位相を有するプリコーダでプリコードされた複数のＲＳ（６つのＲＳ）は、ＵＥ１０において線形補間に使用されてもよい。その結果、ＵＥ１０は、例えば、線形補間に基づくチャネル推定を適用することによって、複数のＲＳ（６つのＲＳ）に基づいて、高精度のチャネル推定を実行することができる。また、ＵＥ１０は、異なる時間及び周波数リソースで多重化された６つのＲＳが、連続した異なる位相及び／又は振幅を有するプリコーダによってプリコードされているとの推定に基づいて、ＲＳを受信することができる。さらに、連続するプリコーダがシステム全体の帯域幅及び／又は時間内に確保される場合、各位相が所定の周波数範囲及び／又は所定の時間範囲ごとに異なることは必要ではない。
【０１０５】
上記第１及び第２の変形例では、ＢＳ２０は、ＵＥ推定に用いる情報（ＵＥ推定情報）をＵＥ１０に送信してもよい。例えば、ＵＥ推定情報は下記を示す。
・ＲＳに適用されるプリコーダ（位相及び／又は振幅）は、互いに独立している。
・所定の周波数範囲及び／又は所定の時間範囲ごとにＲＳに適用されるプリコーダ（位相及び／又は振幅）は同一である。
・ＲＳに適用されるプリコーダ（位相及び／又は振幅）は、所定の周波数範囲及び／又は所定の時間範囲ごとに、連続的に変化する（例えば線形的に）。
・システム帯域幅（又はコンポーネントキャリア）内のＲＳに適用されるプリコーダ（位相及び／又は振幅）は同一である。
・ＲＳに適用されるプリコーダ（位相及び／又は振幅）は、システム帯域幅（又はコンポーネントキャリア）ごと又は複数の異なるサブフレームのセットごとに異なる連続的な変化を有する。
【０１０６】
例えば、ＢＳ２０は、ＵＥ推定情報を上位レイヤシグナリング及び／又は下位レイヤシグナリングを介してＵＥ１０に送信してもよい。そして、ＵＥ１０は、受信したＵＥ推定情報に基づいてＵＥ推定を切り替えてもよい。
【０１０７】
上記第１の変形例及び第２の変形例において、ＢＳ２０は、同一のプリコーダでプリコードされたＲＥ又は連続した異なる位相を有するプリコーダを示す情報をＵＥ１０に送信してもよい。
【０１０８】
例えば、同一のプリコーダ又は連続した異なる位相を有するプリコーダでプリコードされたＲＥを含む周波数リソース（例えば、ＲＢの数）を示す情報がＵＥ１０に送信されてもよい。
【０１０９】
例えば、同一のプリコーダ又は連続した異なる位相を有するプリコーダでプリコードされたＲＥを含む時間リソース（例えば、サブフレームの数）を示す情報がＵＥ１０に送信されてもよい。例えば、プレコーダが切り替わる位置を示す情報が、サブフレームオフセットとしてＵＥ１０に送信されてもよい。
【０１１０】
例えば、ＵＥ推定情報並びにプリコーディングされたＲＥ、プリコーディングされたＲＥを含む周波数リソース及び時間リソースを示す上記情報が、ＣＳＩ−ＲＳ関連情報、ＣＳＩプロセス関連情報、又はＤＭ−ＲＳ関連情報に含まれてもよい。例えば、ＣＳＩプロセス関連情報は、ＣＳＩプロセス、ＣＳＩプロセスＩＤ、ＣＳＩ−ＲＳ−Ｃｏｎｆｉｇ、ＣＳＩ−ＲＳ−ＣｏｎｆｉｇＮＺＰ、ＣＳＩ−ＲＳ−ＣｏｎｆｉｇＮＺＰＩｄ、ＣＳＩ−ＲＳ−Ｃｏｎｆｉｇ  ＺＰ、又はＣＳＩ−ＲＳ−Ｃｏｎｆｉｇ  ＺＰＩｄであってもよい。
【０１１１】
（基地局の構成）
以下、本発明の１つ以上の実施形態に係るＢＳ２０について、図１５を参照して説明する。図１５は、本発明の１つ以上の実施形態に係るＢＳ２０の概略構成を示す図である。ＢＳ２０は、複数のアンテナ２０１と、アンプ２０２と、送受信部（送信部／受信部）２０３と、ベースバンド信号処理部２０４と、呼処理部２０５と、伝送路インターフェース２０６とを備えていてよい。
【０１１２】
ＢＳ２０からＵＥ２０にＤＬで送信されたユーザデータは、伝送路インターフェース２０６を介してコアネットワーク３０からベースバンド信号処理部２０４に入力される。
【０１１３】
ベースバンド信号処理部２０４において、当該信号について、ＰＤＣＰ（Ｐａｃｋｅｔ  Ｄａｔａ  Ｃｏｎｖｅｒｇｅｎｃｅ  Ｐｒｏｔｏｃｏｌ）レイヤ処理、ユーザデータの分割・結合、ＲＬＣ（Ｒａｄｉｏ  Ｌｉｎｋ  Ｃｏｎｔｒｏｌ）再送制御送信処理などのＲＬＣレイヤ送信処理、例えば、ＨＡＲＱ送信処理を含むＭＡＣ（Ｍｅｄｉｕｍ  Ａｃｃｅｓｓ  Ｃｏｎｔｒｏｌ）再送制御、スケジューリング、伝送フォーマット選択、チャネル符号化、逆高速フーリエ変換（ＩＦＦＴ）処理、及びプリコーディング処理が行われる。そして、結果として得られた信号は、各送受信部２０３に転送される。ＤＬ制御チャネルの信号は、チャネル符号化及び逆高速フーリエ変換を含む送信処理が行われ、各送受信部２０３に送信される。
【０１１４】
ベースバンド信号処理部２０４は、セル内で通信を行うための制御情報（システム情報）を、上位レイヤシグナリング（例えば、ＲＲＣシグナリング及び報知チャネル）によって各ＵＥ１０に通知する。セル内で通信を行うための情報は、例えば、ＵＬ又はＤＬシステム帯域幅を含む。
【０１１５】
各送受信部２０３において、アンテナ毎にプリコーディングされてベースバンド信号処理部２０４から出力されたベースバンド信号は、無線周波数帯に周波数変換処理が行われる。アンプ２０２は、周波数変換された無線周波数信号を増幅し、この結果得た信号をアンテナ２０１から送信する。
【０１１６】
ＵＥ１０からＢＳ２０にＵＬで送信されるデータについては、無線周波数信号が各アンテナ２０１で受信され、アンプ２０２で増幅され、送受信部２０３においてベースバンド信号に周波数変換され、ベースバンド信号処理部２０４に入力される。
【０１１７】
ベースバンド信号処理部２０４は、受信したベースバンド信号に含まれるユーザデータに対して、ＦＦＴ処理、ＩＤＦＴ処理、誤り訂正復号、ＭＡＣ再送制御受信処理、ＲＬＣレイヤ及びＰＤＣＰレイヤ受信処理を行う。そして、得られた信号は、伝送路インターフェース２０６を介してコアネットワーク３０に転送される。呼処理部２０５は、通信チャネルの設定及び解除を含む呼処理、ＢＳ２０の状態管理、及び無線リソースの管理を行う。
【０１１８】
（ユーザ装置の構成）
以下、本発明の１つ以上の実施形態に係るＵＥ１０について、図１６を参照して説明する。図１６は、本発明の１つ以上の実施形態に係るＵＥ１０の全体構成を示す図である。ＵＥ１０は、複数のＵＥアンテナ１０１、アンプ１０２、送受信部（送信部／受信部）１０３、ベースバンド信号処理部１０４及びアプリケーション１０５を備える。
【０１１９】
ＤＬについて、ＵＥアンテナ１０１で受信された無線周波数信号は各アンプ１０２で増幅され、送受信部１０３においてベースバンド信号に周波数変換される。これらのベースバンド信号は、ベースバンド信号処理部１０４において、ＦＦＴ処理、誤り訂正復号、再送制御等の受信処理が行われる。ＤＬユーザデータは、アプリケーション１０５に転送される。アプリケーション１０５は、物理レイヤ及びＭＡＣレイヤよりも上位のレイヤに関する処理を行う。下りデータ中の報知情報もアプリケーション１０５に転送される。
【０１２０】
一方、ＵＬユーザデータは、アプリケーション１０５からベースバンド信号処理部１０４に入力される。ベースバンド信号処理部１０４では、再送制御（Ｈｙｂｒｉｄ  ＡＲＱ）送信処理、チャネル符号化、プリコーディング、ＤＦＴ処理、ＩＦＦＴ処理等が行われ、この結果得られた信号は各送受信部１０３に転送される。送受信部１０３では、ベースバンド信号処理部１０４から出力されたベースバンド信号が無線周波数帯に変換される。その後、周波数変換された周波数信号は、アンプ１０２で増幅され、アンテナ１０１から送信される。
【０１２１】
本発明の１つ以上の実施形態では、隣接するセル間のＣＳＩ−ＲＳが互いに衝突する（所望信号及び干渉信号がＣＳＩ−ＲＳである）例を説明するが、干渉信号はＰＤＳＣＨ、他の物理チャネル、又は他の信号であってもよい。
【０１２２】
本開示は、Ｒｘ電力に基づくビーム選択を適用するシステムを主に説明したが、本発明はそれに限定されない。本発明の１つ以上の実施形態は、干渉の影響を受ける他のビーム管理方式又はＣＳＩ取得方式にも適用することができる。
【０１２３】
本開示は主としてセル間干渉及びそのセル間干渉変動を減少させる例を説明したが、本発明はこれに限定されない。本発明の１つ以上の実施形態は、マルチユーザＭＩＭＯにおけるユーザ間干渉にも適用することができる。
【０１２４】
本開示は、ビームフォーミングされたＣＳＩ−ＲＳに適用される干渉アラインメントの例を中心に説明したが、本発明はこれに限定されるものではない。本発明の１つ以上の実施形態では、干渉アラインメントを適用するＣＳＩ−ＲＳは、ビームフォーミングされていないものでもよい。さらに、ＬＴＥ−Ａ／ＮＲ規格では、ＣＳＩ−ＲＳがビームフォーミングされている否かは、明示的に開示されていなくてもよい。
【０１２５】
上記の実施例及び変形例は、所望ビームの選択又は非所望ビームの選択のために使用されてもよい。例えば、ビーム選択は、セル間干渉及びユーザ間干渉を減少させるために適用されてもよい。
【０１２６】
本開示は主に下りリンク送信の例を記載したが、本発明はこれに限定されない。本発明の１つ以上の実施形態は、上りリンク送信にも適用することができる。
【０１２７】
本開示は、ＬＴＥ／ＬＴＥ−Ａに基づくチャネル及びシグナリング方式の例を中心に説明したが、本発明はこれに限定されない。本発明の１つ以上の実施形態は、ＬＴＥ／ＬＴＥ−Ａ、Ｎｅｗ  Ｒａｄｉｏ（ＮＲ）、及び新たに定義されるチャネル及びシグナリング方式と同じ機能を有する別のチャネル及びシグナリング方式に適用することができる。
【０１２８】
本開示は、ＣＳＩ−ＲＳ及びＣＳＩフィードバック方式に基づくチャネル推定の例を中心に説明したが、本発明はこれに限定されない。本発明の１つ以上の実施形態は、ＣＳＩ−ＲＳ以外の、他の参照信号、同期信号、及び物理信号及びチャネル（例えば、同期信号、ビームＲＳ、セル固有ＲＳ、サウンディング参照信号（ＳＲＳ）、上りリンク／下りリンクＤＭＲＳ、物理ランダムアクセスチャネル（ＰＲＡＣＨ））にも適用できる。
【０１２９】
本発明の１つ以上の実施形態では、ＲＢとサブキャリアとを互いに置き換えることができる。同様に、本発明の１つ以上の実施形態では、サブフレームとシンボルとを互いに置き換えることができる。
【０１３０】
上記の態様及び変更例は互いに組み合わせることが可能であり、これらの態様の各種特徴を様々なパターンで組み合わせることが可能である。本発明は、本明細書に開示される特定の組み合わせに限定されない。
【０１３１】
本開示においては一定数の実施形態のみが説明されたが、本開示の利益を享受する当業者であれば、本発明の範囲から逸脱することなく様々な他の実施形態が可能であることを理解することができる。したがって、本発明の範囲は、添付の特許請求の範囲によってのみ限定されるものである。
【符号の説明】
【０１３２】
１  無線通信システム
１０  ユーザ装置（ＵＥ）
１０１  アンテナ
１０２  アンプ
１０３  送受信部（送信部／受信部）
１０４  ベースバンド信号処理部
１０５  アプリケーション
２０  基地局（ＢＳ）
２０１  アンテナ
２０２  アンプ
２０３  送受信部（送信部／受信部）
２０４  ベースバンド信号処理部
２０５  呼処理部
２０６  伝送路インターフェース
【図１Ａ】
2019521557.tif 000003
【図１Ｂ】
2019521557.tif 000004
【図２Ａ】
2019521557.tif 000005
【図２Ｂ】
2019521557.tif 000006
【図３Ａ】
2019521557.tif 000007
【図３Ｂ】
2019521557.tif 000008
【図４】
2019521557.tif 000009
【図５】
2019521557.tif 000010
【図６】
2019521557.tif 000011
【図７】
2019521557.tif 000012
【図８】
2019521557.tif 000013
【図９Ａ】
2019521557.tif 000014
【図９Ｂ】
2019521557.tif 000015
【図１０Ａ】
2019521557.tif 000016
【図１０Ｂ】
2019521557.tif 000017
【図１１】
2019521557.tif 000018
【図１２Ａ】
2019521557.tif 000019
【図１２Ｂ】
2019521557.tif 000020
【図１２Ｃ】
2019521557.tif 000021
【図１２Ｄ】
2019521557.tif 000022
【図１３】
2019521557.tif 000023
【図１４】
2019521557.tif 000024
【図１５】
2019521557.tif 000025
【図１６】
2019521557.tif 000026
【国際調査報告】
2019521557.tif 000027
2019521557.tif 000028
2019521557.tif 000029